(57)【要約】【課題】本発明はキャンプ用バックパックを開示した。【解決手段】左右に対称したメイン板を含み、右側の前記メイン板の右壁には弾性クッションが固定的に設けられ、前記メイン板の右端面の前後端には背ベルトが固定的に設けられ、前記背ベルトを使って本装置を背に負うことができ、前記弾性クッションは背部の背負い心地を向上させることができ、右側の前記メイン板の上端にはカバー布が反転できるように設けられ、前記カバー布の左端にはボタンが固定的に設けられ、本装置はテーブルに良く変形し使用され、安定性が高く、操作が簡単で便利である。【選択図】図１
2020179132.tif 000002
【特許請求の範囲】
【請求項１】
正面視で、左右に対称したメイン板を含み、右側の前記メイン板の右壁には弾性クッションが固定的に設けられ、前記メイン板の右端面の前後端には背ベルトが固定的に設けられ、前記背ベルトを使って本装置を背に負うことができ、前記弾性クッションは背部の背負い心地を向上させることができ、右側の前記メイン板の上端にはカバー布が反転できるように設けられ、前記カバー布の左端にはボタンが固定的に設けられ、左側の前記メイン板の左端面には前記ボタンと協働して使用するバックルが固定的に設けられ、前記メイン板の下側には一つの底板が設けられ、前記メイン板が前記底板の左右両端にそれぞれ回転できるように連結され、前記メイン板の前後側には側板が対称的に、且つ反転できるように設けられ、前記メイン板と前記底板との間には固定装置が設けられ、前記メイン板と、前記底板と、前記側板との三者の間には伝動装置が設けられ、共に前側にあるいは後側に位置している左右二つの前記側板の間には引っ掛かりロッド装置が設けられ、
初期状態に本装置はバックパックの形であり、前記引っ掛かりロッド装置により前記側板の位置固定を解除でき、同時に前記固定装置を連動させることができ、前記メイン板と前記底板との固定を解除し、そして本装置をテーブルに広げて平にし、前記固定装置により固定することを特徴とするキャンプ用バックパック。
【請求項２】
前記固定装置は前記メイン板の中に設けられた伝動チャンバを含み、前記伝動チャンバのうち中心から離れている側の内壁には回転軸が回転できるように設けられ、前記回転軸のうち中心に近接する一端にはカムが固定的に設けられ、前記カムの上側には前記伝動チャンバの内壁にスライドできるように連結された押板が当接するように設けられ、前記押板の上端と前記伝動チャンバの上壁との間には圧縮バネが固定的に連結され、前記伝動チャンバの下壁には下方に開口した引っ掛かり板チャンバが連通するように設けられ、前記引っ掛かり板チャンバの中には前記押板の下端に固定的に連結された引っ掛かり板がスライドできるように設けられ、前記底板の上端面の左右両端の位置が前記引っ掛かり板チャンバの位置に対応し、且つ前記底板の上端面の左右両端には折り畳み引っ掛かり溝が設けられ、前記底板の左右両端には後合わせに開口した広げ引っ掛かり溝対称的にが設けられ、
前記引っ掛かり板が前記折り畳み引っ掛かり溝の中に引っ掛かった時に装置は折り畳まれた状態にあり、前記引っ掛かり板が前記広げ引っ掛かり溝の中に引っ掛かった時に装置は広げられた状態にあることを特徴とする請求項１に記載のキャンプ用バックパック。
【請求項３】
前記伝動装置は前記メイン板の中の下側の左右両端に前後に対称的に設けられた傘歯車チャンバを含み、前記傘歯車チャンバの中には固定傘歯車が回転できるように設けられ、前記固定傘歯車の一端には前記底板に固定的に連結された固定軸が固定的に設けられ、前記固定傘歯車の上端には前記固定傘歯車と噛合した従動傘歯車が設けられ、前記従動傘歯車の上端には同期軸が固定的に連結され、前記同期軸の上端が前記側板に固定的に連結され、
前記メイン板を反転させる時に前記従動傘歯車が前記固定傘歯車を中心に回転し、歯車噛合により前記従動傘歯車が回転し前記側板を反転連動させることを特徴とする請求項１に記載のキャンプ用バックパック。
【請求項４】
前記引っ掛かりロッド装置は前記メイン板の中に設けられた伸縮チャンバと引っ掛かりロッドチャンバとを含み、前記伸縮チャンバと前記引っ掛かりロッドチャンバとが向かい合って開口しており、前側の前記伸縮チャンバが右側の前記側板の中に設けられ、前側の前記引っ掛かりロッドチャンバが左側の前記側板の中に設けられ、後側の前記伸縮チャンバと前記引っ掛かりロッドチャンバとの位置が反対であり、前記伸縮チャンバの中には前記引っ掛かりロッドチャンバの中まで伸びている引っ掛かりロッドがスライドできるように設けられ、前記引っ掛かりロッドの下端面にはラックが固定的に設けられ、前記伸縮チャンバの下壁にはリールチャンバが連通するように設けられ、前記リールチャンバの中には前記ラックの下端に噛合した平歯車が回転できるように設けられ、前記平歯車のうち中心に近接する一端にはリールが固定的に設けられ、前記リールには引き糸が周設され、前記引き糸の一端が前記回転軸に周設され、後側の前記引き糸が右側の回転軸に周設され、前側の前記引き糸が左側の回転軸に周設され、前記伸縮チャンバのうち中心から離れている側には外に開口したガイドスライドチャンバが連通するように設けられ、前記ガイドスライドチャンバの中には前記引っ掛かりロッドに固定的に連結されたガイドスライドロッドがスライドできるように設けられ、前記ガイドスライドロッドが外部に伸びており、且つ前記ガイドスライドロッドにはプッシュブロックが固定的に設けられ、
手動で前記プッシュブロックを押して前記引っ掛かりロッドの固定を解除し、前記引き糸により前記固定装置を連動させて固定を解除することを特徴とする請求項１に記載のキャンプ用バックパック。
【発明の詳細な説明】
【技術分野】
【０００１】
本発明は生活用品分野を取り上げて、具体的にはキャンプ用バックパックである。
【背景技術】
【０００２】
キャンプをする時、食事もゲームも地面で行われ、しかし時に地面が平坦でない場合には物を置くことができなく、物が傾き倒れやすく、こういう時テーブルが必要とされるが、テーブルを持ち歩くのは非常に不便なことであり、それに対し、バックパックはキャンプをする時に必要となる物であるため、バックパックをデーブルに変形できるように設計することができ、従って、キャンプ用バックパックが必要とされ、本装置はテーブルに良く変形し使用され、安定性が高く、操作が簡単で便利である。
【先行技術文献】
【特許文献】
【０００３】
【特許文献１】中国特許出願公開第１０１１７１９９５号明細書
【発明の概要】
【発明が解決しようとする課題】
【０００４】
本発明の目的はキャンプ用バックパックを提供し、それは上記の現在の技術中の問題を解決できる。
【課題を解決するための手段】
【０００５】
本発明のキャンプ用バックパックは、左右に対称したメイン板を含み、右側の前記メイン板の右壁には弾性クッションが固定的に設けられ、前記メイン板の右端面の前後端には背ベルトが固定的に設けられ、前記背ベルトを使って本装置を背に負うことができ、前記弾性クッションは背部の背負い心地を向上させることができ、右側の前記メイン板の上端にはカバー布が反転できるように設けられ、前記カバー布の左端にはボタンが固定的に設けられ、左側の前記メイン板の左端面には前記ボタンと協働して使用するバックルが固定的に設けられ、前記メイン板の下側には一つの底板が設けられ、前記メイン板が前記底板の左右両端にそれぞれ回転できるように連結され、前記メイン板の前後側には側板が対称的に、且つ反転できるように設けられ、前記メイン板と前記底板との間には固定装置が設けられ、前記メイン板と、前記底板と、前記側板との三者の間には伝動装置が設けられ、共に前側にあるいは後側に位置している左右二つの前記側板の間には引っ掛かりロッド装置が設けられ、
初期状態に本装置はバックパックの形であり、前記引っ掛かりロッド装置により前記側板の位置固定を解除でき、同時に前記固定装置を連動させることができ、前記メイン板と前記底板との固定を解除し、そして本装置をテーブルに広げて平にし、前記固定装置により固定する。
【０００６】
更の技術プラン、前記固定装置は前記メイン板の中に設けられた伝動チャンバを含み、前記伝動チャンバのうち中心から離れている側の内壁には回転軸が回転できるように設けられ、前記回転軸のうち中心に近接する一端にはカムが固定的に設けられ、前記カムの上側には前記伝動チャンバの内壁にスライドできるように連結された押板が当接するように設けられ、前記押板の上端と前記伝動チャンバの上壁との間には圧縮バネが固定的に連結され、前記伝動チャンバの下壁には下方に開口した引っ掛かり板チャンバが連通するように設けられ、前記引っ掛かり板チャンバの中には前記押板の下端に固定的に連結された引っ掛かり板がスライドできるように設けられ、前記底板の上端面の左右両端の位置が前記引っ掛かり板チャンバの位置に対応し、且つ前記底板の上端面の左右両端には折り畳み引っ掛かり溝が設けられ、前記底板の左右両端には後合わせに開口した広げ引っ掛かり溝対称的にが設けられ、
前記引っ掛かり板が前記折り畳み引っ掛かり溝の中に引っ掛かった時に装置は折り畳まれた状態にあり、前記引っ掛かり板が前記広げ引っ掛かり溝の中に引っ掛かった時に装置は広げられた状態にある。
【０００７】
更の技術プラン、前記伝動装置は前記メイン板の中の下側の左右両端に前後に対称的に設けられた傘歯車チャンバを含み、前記傘歯車チャンバの中には固定傘歯車が回転できるように設けられ、前記固定傘歯車の一端には前記底板に固定的に連結された固定軸が固定的に設けられ、前記固定傘歯車の上端には前記固定傘歯車と噛合した従動傘歯車が設けられ、前記従動傘歯車の上端には同期軸が固定的に連結され、前記同期軸の上端が前記側板に固定的に連結され、
前記メイン板を反転させる時に前記従動傘歯車が前記固定傘歯車を中心に回転し、歯車噛合により前記従動傘歯車が回転し前記側板を反転連動させる。
【０００８】
更の技術プラン、前記引っ掛かりロッド装置は前記メイン板の中に設けられた伸縮チャンバと引っ掛かりロッドチャンバとを含み、前記伸縮チャンバと前記引っ掛かりロッドチャンバとが向かい合って開口しており、前側の前記伸縮チャンバが右側の前記側板の中に設けられ、前側の前記引っ掛かりロッドチャンバが左側の前記側板の中に設けられ、後側の前記伸縮チャンバと前記引っ掛かりロッドチャンバとの位置が反対であり、前記伸縮チャンバの中には前記引っ掛かりロッドチャンバの中まで伸びている引っ掛かりロッドがスライドできるように設けられ、前記引っ掛かりロッドの下端面にはラックが固定的に設けられ、前記伸縮チャンバの下壁にはリールチャンバが連通するように設けられ、前記リールチャンバの中には前記ラックの下端に噛合した平歯車が回転できるように設けられ、前記平歯車のうち中心に近接する一端にはリールが固定的に設けられ、前記リールには引き糸が周設され、前記引き糸の一端が前記回転軸に周設され、後側の前記引き糸が右側の回転軸に周設され、前側の前記引き糸が左側の回転軸に周設され、前記伸縮チャンバのうち中心から離れている側には外に開口したガイドスライドチャンバが連通するように設けられ、前記ガイドスライドチャンバの中には前記引っ掛かりロッドに固定的に連結されたガイドスライドロッドがスライドできるように設けられ、前記ガイドスライドロッドが外部に伸びており、且つ前記ガイドスライドロッドにはプッシュブロックが固定的に設けられ、
手動で前記プッシュブロックを押して前記引っ掛かりロッドの固定を解除し、前記引き糸により前記固定装置を連動させて固定を解除する。
【発明の効果】
【０００９】
本発明は構造が簡単で、操作が便利であり、本装置が変形できることにより、折り畳まれた時にバックパックとしてキャンプに必要の物を収納でき、またキャンプをする時に広げられてテーブルとして使用でき、地面が平坦でないから物を置くことができないことを避ける。
【図面の簡単な説明】
【００１０】
下記に図１〜７をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明のキャンプ用バックパックの内部全体構成略図
【図２】図２は図１のＡ―Ａの構成略図
【図３】図３は図２のＢ―Ｂの構成略図
【図４】図４は図３のＣ―Ｃの構成略図
【図５】図５は図１のＤの拡大略図
【図６】図６は図１のＥの拡大略図
【図７】図７は図３のＦの拡大略図
【発明を実施するための形態】
【００１２】
図１〜７を参照し、本発明のキャンプ用バックパックは、左右に対称したメイン板１１を含み、右側の前記メイン板１１の右壁には弾性クッション１２が固定的に設けられ、前記メイン板１１の右端面の前後端には背ベルト１３が固定的に設けられ、前記背ベルト１３を使って本装置を背に負うことができ、前記弾性クッション１２は背部の背負い心地を向上させることができ、右側の前記メイン板１１の上端にはカバー布１４が反転できるように設けられ、前記カバー布１４の左端にはボタン１５が固定的に設けられ、左側の前記メイン板１１の左端面には前記ボタン１５と協働して使用するバックル１６が固定的に設けられ、前記メイン板１１の下側には一つの底板１７が設けられ、前記メイン板１１が前記底板１７の左右両端にそれぞれ回転できるように連結され、前記メイン板１１の前後側には側板１８が対称的に、且つ反転できるように設けられ、前記メイン板１１と前記底板１７との間には固定装置１０１が設けられ、前記メイン板１１と、前記底板１７と、前記側板１８との三者の間には伝動装置１０２が設けられ、共に前側にあるいは後側に位置している左右二つの前記側板１８の間には引っ掛かりロッド装置１０３が設けられ、
初期状態に本装置はバックパックの形であり、前記引っ掛かりロッド装置１０３により前記側板１８の位置固定を解除でき、同時に前記固定装置１０１を連動させることができ、前記メイン板１１と前記底板１７との固定を解除し、そして本装置をテーブルに広げて平にし、前記固定装置１０１により固定する。
【００１３】
有益には、前記固定装置１０１は前記メイン板１１の中に設けられた伝動チャンバ１９を含み、前記伝動チャンバ１９のうち中心から離れている側の内壁には回転軸２０が回転できるように設けられ、前記回転軸２０のうち中心に近接する一端にはカム２１が固定的に設けられ、前記カム２１の上側には前記伝動チャンバ１９の内壁にスライドできるように連結された押板２２が当接するように設けられ、前記押板２２の上端と前記伝動チャンバ１９の上壁との間には圧縮バネ２３が固定的に連結され、前記伝動チャンバ１９の下壁には下方に開口した引っ掛かり板チャンバ２４が連通するように設けられ、前記引っ掛かり板チャンバ２４の中には前記押板２２の下端に固定的に連結された引っ掛かり板２５がスライドできるように設けられ、前記底板１７の上端面の左右両端の位置が前記引っ掛かり板チャンバ２４の位置に対応し、且つ前記底板１７の上端面の左右両端には折り畳み引っ掛かり溝２６が設けられ、前記底板１７の左右両端には後合わせに開口した広げ引っ掛かり溝２７対称的にが設けられ、
前記引っ掛かり板２５が前記折り畳み引っ掛かり溝２６の中に引っ掛かった時に装置は折り畳まれた状態にあり、前記引っ掛かり板２５が前記広げ引っ掛かり溝２６の中に引っ掛かった時に装置は広げられた状態にある。
【００１４】
有益には、前記伝動装置１０２は前記メイン板１１の中の下側の左右両端に前後に対称的に設けられた傘歯車チャンバ２８を含み、前記傘歯車チャンバ２８の中には固定傘歯車２９が回転できるように設けられ、前記固定傘歯車２９の一端には前記底板１７に固定的に連結された固定軸３０が固定的に設けられ、前記固定傘歯車２９の上端には前記固定傘歯車２９と噛合した従動傘歯車３１が設けられ、前記従動傘歯車３１の上端には同期軸３２が固定的に連結され、前記同期軸３２の上端が前記側板１８に固定的に連結され、
前記メイン板１１を反転させる時に前記従動傘歯車３１が前記固定傘歯車２９を中心に回転し、歯車噛合により前記従動傘歯車３１が回転し前記側板１８を反転連動させる。
【００１５】
有益には、前記引っ掛かりロッド装置１０３は前記メイン板１１の中に設けられた伸縮チャンバ３３と引っ掛かりロッドチャンバ３４とを含み、前記伸縮チャンバ３３と前記引っ掛かりロッドチャンバ３４とが向かい合って開口しており、前側の前記伸縮チャンバ３３が右側の前記側板１８の中に設けられ、前側の前記引っ掛かりロッドチャンバ３４が左側の前記側板１８の中に設けられ、後側の前記伸縮チャンバ３３と前記引っ掛かりロッドチャンバ３４との位置が反対であり、前記伸縮チャンバ３３の中には前記引っ掛かりロッドチャンバ３４の中まで伸びている引っ掛かりロッド３５がスライドできるように設けられ、前記引っ掛かりロッド３５の下端面にはラック３６が固定的に設けられ、前記伸縮チャンバ３３の下壁にはリールチャンバ３７が連通するように設けられ、前記リールチャンバ３７の中には前記ラック３６の下端に噛合した平歯車３８が回転できるように設けられ、前記平歯車３８のうち中心に近接する一端にはリール３９が固定的に設けられ、前記リール３９には引き糸４０が周設され、前記引き糸４０の一端が前記回転軸２０に周設され、後側の前記引き糸４０が右側の回転軸２０に周設され、前側の前記引き糸４０が左側の回転軸２０に周設され、前記伸縮チャンバ３３のうち中心から離れている側には外に開口したガイドスライドチャンバ４１が連通するように設けられ、前記ガイドスライドチャンバ４１の中には前記引っ掛かりロッド３５に固定的に連結されたガイドスライドロッド４２がスライドできるように設けられ、前記ガイドスライドロッド４２が外部に伸びており、且つ前記ガイドスライドロッド４２にはプッシュブロック４３が固定的に設けられ、
手動で前記プッシュブロック４３を押して前記引っ掛かりロッド３５の固定を解除し、前記引き糸４０により前記固定装置１０１を連動させて固定を解除する。
【００１６】
初期状態に、メイン板１１が底板１７に対して垂直であり、側板１８がメイン板１１と底板１７とに対して垂直であり、引っ掛かり板２５が折り畳み引っ掛かり溝２６の中に引っ掛かっており、引っ掛かりロッド３５が引っ掛かりロッドチャンバ３４の中に引っ掛かっている。
【００１７】
テーブルに変形する時、地面に底板１７を平にし、プッシュブロック４３をプッシュし、ガイドスライドロッド４２により引っ掛かりロッド３５を連動させて引っ掛かりロッドチャンバ３４から出し、この時ラック３６が歯車の噛合により平歯車３８を回転連動させ、且つリール３９を回転連動させ、引き糸４０により回転軸２０を回転連動させ、且つカム２１を回転連動させ、この時カム２１の突き出った部分が押板２２を上昇連動させ、且つ引っ掛かり板２５を上昇連動させて折り畳み引っ掛かり溝２６から出し、メイン板１１を両側に反転させて水平状態にし、この時引っ掛かり板チャンバ２４と広げ引っ掛かり溝２７とが向かい合い、この時従動傘歯車３１が固定傘歯車２９を中心に回転し、且つ歯車噛合により自転し、同期軸３２により側板１８を連動させて百八十度に反転させ、この時側板１８がテーブルの角として地面に置かれ、続けてプッシュブロック４３をプッシュし、カム２１が連動されて続けて百八十度に回転し初期状態に戻り、この時引っ掛かり板２５が広げ引っ掛かり溝２７の中に引っ掛かって入り、この時本装置はテーブルとして使用できる。
【００１８】
本発明の有益効果は：本発明は構造が簡単で、操作が便利であり、本装置が変形できることにより、折り畳まれた時にバックパックとしてキャンプに必要の物を収納でき、またキャンプをする時に広げられてテーブルとして使用でき、地面が平坦でないから物を置くことができないことを避ける。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020179132.tif 000003
【図２】
2020179132.tif 000004
【図３】
2020179132.tif 000005
【図４】
2020179132.tif 000006
【図５】
2020179132.tif 000007
【図６】
2020179132.tif 000008
【図７】
2020179132.tif 000009
【手続補正書】
【提出日】令和1年11月22日(2019.11.22)
【手続補正１】
【補正対象書類名】特許請求の範囲
【補正対象項目名】請求項４
【補正方法】変更
【補正の内容】
【請求項４】
前記引っ掛かりロッド装置は前記側板の中に設けられた伸縮チャンバと引っ掛かりロッドチャンバとを含み、前記伸縮チャンバと前記引っ掛かりロッドチャンバとが向かい合って開口しており、前側の前記伸縮チャンバが右側の前記側板の中に設けられ、前側の前記引っ掛かりロッドチャンバが左側の前記側板の中に設けられ、後側の前記伸縮チャンバと前記引っ掛かりロッドチャンバとの位置が反対であり、前記伸縮チャンバの中には前記引っ掛かりロッドチャンバの中まで伸びている引っ掛かりロッドがスライドできるように設けられ、前記引っ掛かりロッドの下端面にはラックが固定的に設けられ、前記伸縮チャンバの下壁にはリールチャンバが連通するように設けられ、前記リールチャンバの中には前記ラックの下端に噛合した平歯車が回転できるように設けられ、前記平歯車のうち中心に近接する一端にはリールが固定的に設けられ、前記リールには引き糸が周設され、前記引き糸の一端が前記回転軸に周設され、後側の前記引き糸が右側の回転軸に周設され、前側の前記引き糸が左側の回転軸に周設され、前記伸縮チャンバのうち中心から離れている側には外に開口したガイドスライドチャンバが連通するように設けられ、前記ガイドスライドチャンバの中には前記引っ掛かりロッドに固定的に連結されたガイドスライドロッドがスライドできるように設けられ、前記ガイドスライドロッドが外部に伸びており、且つ前記ガイドスライドロッドにはプッシュブロックが固定的に設けられ、 
手動で前記プッシュブロックを押して前記引っ掛かりロッドの固定を解除し、前記引き糸により前記固定装置を連動させて固定を解除することを特徴とする請求項１に記載のキャンプ用バックパック。
【手続補正２】
【補正対象書類名】明細書
【補正対象項目名】全文
【補正方法】変更
【補正の内容】
【発明の詳細な説明】
【技術分野】
【０００１】
本発明は生活用品分野を取り上げて、具体的にはキャンプ用バックパックである。 
【背景技術】
【０００２】
キャンプをする時、食事もゲームも地面で行われ、しかし時に地面が平坦でない場合には物を置くことができなく、物が傾き倒れやすく、こういう時テーブルが必要とされるが、テーブルを持ち歩くのは非常に不便なことであり、それに対し、バックパックはキャンプをする時に必要となる物であるため、バックパックをデーブルに変形できるように設計することができ、従って、キャンプ用バックパックが必要とされ、本装置はテーブルに良く変形し使用され、安定性が高く、操作が簡単で便利である。 
【先行技術文献】
【特許文献】
【０００３】
【特許文献１】中国特許出願公開第１０１１７１９９５号明細書
【発明の概要】
【発明が解決しようとする課題】
【０００４】
本発明の目的はキャンプ用バックパックを提供し、それは上記の現在の技術中の問題を解決できる。 
【課題を解決するための手段】
【０００５】
本発明のキャンプ用バックパックは、左右に対称したメイン板を含み、右側の前記メイン板の右壁には弾性クッションが固定的に設けられ、前記メイン板の右端面の前後端には背ベルトが固定的に設けられ、前記背ベルトを使って本装置を背に負うことができ、前記弾性クッションは背部の背負い心地を向上させることができ、右側の前記メイン板の上端にはカバー布が反転できるように設けられ、前記カバー布の左端にはボタンが固定的に設けられ、左側の前記メイン板の左端面には前記ボタンと協働して使用するバックルが固定的に設けられ、前記メイン板の下側には一つの底板が設けられ、前記メイン板が前記底板の左右両端にそれぞれ回転できるように連結され、前記メイン板の前後側には側板が対称的に、且つ反転できるように設けられ、前記メイン板と前記底板との間には固定装置が設けられ、前記メイン板と、前記底板と、前記側板との三者の間には伝動装置が設けられ、共に前側にあるいは後側に位置している左右二つの前記側板の間には引っ掛かりロッド装置が設けられ、 
初期状態に本装置はバックパックの形であり、前記引っ掛かりロッド装置により前記側板の位置固定を解除でき、同時に前記固定装置を連動させることができ、前記メイン板と前記底板との固定を解除し、そして本装置をテーブルに広げて平にし、前記固定装置により固定する。 
【０００６】
更の技術プラン、前記固定装置は前記メイン板の中に設けられた伝動チャンバを含み、前記伝動チャンバのうち中心から離れている側の内壁には回転軸が回転できるように設けられ、前記回転軸のうち中心に近接する一端にはカムが固定的に設けられ、前記カムの上側には前記伝動チャンバの内壁にスライドできるように連結された押板が当接するように設けられ、前記押板の上端と前記伝動チャンバの上壁との間には圧縮バネが固定的に連結され、前記伝動チャンバの下壁には下方に開口した引っ掛かり板チャンバが連通するように設けられ、前記引っ掛かり板チャンバの中には前記押板の下端に固定的に連結された引っ掛かり板がスライドできるように設けられ、前記底板の上端面の左右両端の位置が前記引っ掛かり板チャンバの位置に対応し、且つ前記底板の上端面の左右両端には折り畳み引っ掛かり溝が設けられ、前記底板の左右両端には後合わせに開口した広げ引っ掛かり溝対称的にが設けられ、 
前記引っ掛かり板が前記折り畳み引っ掛かり溝の中に引っ掛かった時に装置は折り畳まれた状態にあり、前記引っ掛かり板が前記広げ引っ掛かり溝の中に引っ掛かった時に装置は広げられた状態にある。 
【０００７】
更の技術プラン、前記伝動装置は前記メイン板の中の下側の左右両端に前後に対称的に設けられた傘歯車チャンバを含み、前記傘歯車チャンバの中には固定傘歯車が回転できるように設けられ、前記固定傘歯車の一端には前記底板に固定的に連結された固定軸が固定的に設けられ、前記固定傘歯車の上端には前記固定傘歯車と噛合した従動傘歯車が設けられ、前記従動傘歯車の上端には同期軸が固定的に連結され、前記同期軸の上端が前記側板に固定的に連結され、 
前記メイン板を反転させる時に前記従動傘歯車が前記固定傘歯車を中心に回転し、歯車噛合により前記従動傘歯車が回転し前記側板を反転連動させる。 
【０００８】
更の技術プラン、前記引っ掛かりロッド装置は前記側板の中に設けられた伸縮チャンバと引っ掛かりロッドチャンバとを含み、前記伸縮チャンバと前記引っ掛かりロッドチャンバとが向かい合って開口しており、前側の前記伸縮チャンバが右側の前記側板の中に設けられ、前側の前記引っ掛かりロッドチャンバが左側の前記側板の中に設けられ、後側の前記伸縮チャンバと前記引っ掛かりロッドチャンバとの位置が反対であり、前記伸縮チャンバの中には前記引っ掛かりロッドチャンバの中まで伸びている引っ掛かりロッドがスライドできるように設けられ、前記引っ掛かりロッドの下端面にはラックが固定的に設けられ、前記伸縮チャンバの下壁にはリールチャンバが連通するように設けられ、前記リールチャンバの中には前記ラックの下端に噛合した平歯車が回転できるように設けられ、前記平歯車のうち中心に近接する一端にはリールが固定的に設けられ、前記リールには引き糸が周設され、前記引き糸の一端が前記回転軸に周設され、後側の前記引き糸が右側の回転軸に周設され、前側の前記引き糸が左側の回転軸に周設され、前記伸縮チャンバのうち中心から離れている側には外に開口したガイドスライドチャンバが連通するように設けられ、前記ガイドスライドチャンバの中には前記引っ掛かりロッドに固定的に連結されたガイドスライドロッドがスライドできるように設けられ、前記ガイドスライドロッドが外部に伸びており、且つ前記ガイドスライドロッドにはプッシュブロックが固定的に設けられ、 
手動で前記プッシュブロックを押して前記引っ掛かりロッドの固定を解除し、前記引き糸により前記固定装置を連動させて固定を解除する。 
【発明の効果】
【０００９】
本発明は構造が簡単で、操作が便利であり、本装置が変形できることにより、折り畳まれた時にバックパックとしてキャンプに必要の物を収納でき、またキャンプをする時に広げられてテーブルとして使用でき、地面が平坦でないから物を置くことができないことを避ける。 
【図面の簡単な説明】
【００１０】
下記に図１〜７をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。 
【００１１】
【図１】図１は本発明のキャンプ用バックパックの内部全体構成略図
【図２】図２は図１のＡ―Ａの構成略図
【図３】図３は図２のＢ―Ｂの構成略図
【図４】図４は図３のＣ―Ｃの構成略図
【図５】図５は図１のＤの拡大略図
【図６】図６は図１のＥの拡大略図
【図７】図７は図３のＦの拡大略図
【発明を実施するための形態】
【００１２】
図１〜７を参照し、本発明のキャンプ用バックパックは、左右に対称したメイン板１１を含み、右側の前記メイン板１１の右壁には弾性クッション１２が固定的に設けられ、前記メイン板１１の右端面の前後端には背ベルト１３が固定的に設けられ、前記背ベルト１３を使って本装置を背に負うことができ、前記弾性クッション１２は背部の背負い心地を向上させることができ、右側の前記メイン板１１の上端にはカバー布１４が反転できるように設けられ、前記カバー布１４の左端にはボタン１５が固定的に設けられ、左側の前記メイン板１１の左端面には前記ボタン１５と協働して使用するバックル１６が固定的に設けられ、前記メイン板１１の下側には一つの底板１７が設けられ、前記メイン板１１が前記底板１７の左右両端にそれぞれ回転できるように連結され、前記メイン板１１の前後側には側板１８が対称的に、且つ反転できるように設けられ、前記メイン板１１と前記底板１７との間には固定装置１０１が設けられ、前記メイン板１１と、前記底板１７と、前記側板１８との三者の間には伝動装置１０２が設けられ、共に前側にあるいは後側に位置している左右二つの前記側板１８の間には引っ掛かりロッド装置１０３が設けられ、 
初期状態に本装置はバックパックの形であり、前記引っ掛かりロッド装置１０３により前記側板１８の位置固定を解除でき、同時に前記固定装置１０１を連動させることができ、前記メイン板１１と前記底板１７との固定を解除し、そして本装置をテーブルに広げて平にし、前記固定装置１０１により固定する。 
【００１３】
有益には、前記固定装置１０１は前記メイン板１１の中に設けられた伝動チャンバ１９を含み、前記伝動チャンバ１９のうち中心から離れている側の内壁には回転軸２０が回転できるように設けられ、前記回転軸２０のうち中心に近接する一端にはカム２１が固定的に設けられ、前記カム２１の上側には前記伝動チャンバ１９の内壁にスライドできるように連結された押板２２が当接するように設けられ、前記押板２２の上端と前記伝動チャンバ１９の上壁との間には圧縮バネ２３が固定的に連結され、前記伝動チャンバ１９の下壁には下方に開口した引っ掛かり板チャンバ２４が連通するように設けられ、前記引っ掛かり板チャンバ２４の中には前記押板２２の下端に固定的に連結された引っ掛かり板２５がスライドできるように設けられ、前記底板１７の上端面の左右両端の位置が前記引っ掛かり板チャンバ２４の位置に対応し、且つ前記底板１７の上端面の左右両端には折り畳み引っ掛かり溝２６が設けられ、前記底板１７の左右両端には後合わせに開口した広げ引っ掛かり溝２７対称的にが設けられ、 
前記引っ掛かり板２５が前記折り畳み引っ掛かり溝２６の中に引っ掛かった時に装置は折り畳まれた状態にあり、前記引っ掛かり板２５が前記広げ引っ掛かり溝２６の中に引っ掛かった時に装置は広げられた状態にある。 
【００１４】
有益には、前記伝動装置１０２は前記メイン板１１の中の下側の左右両端に前後に対称的に設けられた傘歯車チャンバ２８を含み、前記傘歯車チャンバ２８の中には固定傘歯車２９が回転できるように設けられ、前記固定傘歯車２９の一端には前記底板１７に固定的に連結された固定軸３０が固定的に設けられ、前記固定傘歯車２９の上端には前記固定傘歯車２９と噛合した従動傘歯車３１が設けられ、前記従動傘歯車３１の上端には同期軸３２が固定的に連結され、前記同期軸３２の上端が前記側板１８に固定的に連結され、 
前記メイン板１１を反転させる時に前記従動傘歯車３１が前記固定傘歯車２９を中心に回転し、歯車噛合により前記従動傘歯車３１が回転し前記側板１８を反転連動させる。 
【００１５】
有益には、前記引っ掛かりロッド装置１０３は前記側板１８の中に設けられた伸縮チャンバ３３と引っ掛かりロッドチャンバ３４とを含み、前記伸縮チャンバ３３と前記引っ掛かりロッドチャンバ３４とが向かい合って開口しており、前側の前記伸縮チャンバ３３が右側の前記側板１８の中に設けられ、前側の前記引っ掛かりロッドチャンバ３４が左側の前記側板１８の中に設けられ、後側の前記伸縮チャンバ３３と前記引っ掛かりロッドチャンバ３４との位置が反対であり、前記伸縮チャンバ３３の中には前記引っ掛かりロッドチャンバ３４の中まで伸びている引っ掛かりロッド３５がスライドできるように設けられ、前記引っ掛かりロッド３５の下端面にはラック３６が固定的に設けられ、前記伸縮チャンバ３３の下壁にはリールチャンバ３７が連通するように設けられ、前記リールチャンバ３７の中には前記ラック３６の下端に噛合した平歯車３８が回転できるように設けられ、前記平歯車３８のうち中心に近接する一端にはリール３９が固定的に設けられ、前記リール３９には引き糸４０が周設され、前記引き糸４０の一端が前記回転軸２０に周設され、後側の前記引き糸４０が右側の回転軸２０に周設され、前側の前記引き糸４０が左側の回転軸２０に周設され、前記伸縮チャンバ３３のうち中心から離れている側には外に開口したガイドスライドチャンバ４１が連通するように設けられ、前記ガイドスライドチャンバ４１の中には前記引っ掛かりロッド３５に固定的に連結されたガイドスライドロッド４２がスライドできるように設けられ、前記ガイドスライドロッド４２が外部に伸びており、且つ前記ガイドスライドロッド４２にはプッシュブロック４３が固定的に設けられ、 
手動で前記プッシュブロック４３を押して前記引っ掛かりロッド３５の固定を解除し、前記引き糸４０により前記固定装置１０１を連動させて固定を解除する。 
【００１６】
初期状態に、メイン板１１が底板１７に対して垂直であり、側板１８がメイン板１１と底板１７とに対して垂直であり、引っ掛かり板２５が折り畳み引っ掛かり溝２６の中に引っ掛かっており、引っ掛かりロッド３５が引っ掛かりロッドチャンバ３４の中に引っ掛かっている。 
【００１７】
テーブルに変形する時、地面に底板１７を平にし、プッシュブロック４３をプッシュし、ガイドスライドロッド４２により引っ掛かりロッド３５を連動させて引っ掛かりロッドチャンバ３４から出し、この時ラック３６が歯車の噛合により平歯車３８を回転連動させ、且つリール３９を回転連動させ、引き糸４０により回転軸２０を回転連動させ、且つカム２１を回転連動させ、この時カム２１の突き出った部分が押板２２を上昇連動させ、且つ引っ掛かり板２５を上昇連動させて折り畳み引っ掛かり溝２６から出し、メイン板１１を両側に反転させて水平状態にし、この時引っ掛かり板チャンバ２４と広げ引っ掛かり溝２７とが向かい合い、この時従動傘歯車３１が固定傘歯車２９を中心に回転し、且つ歯車噛合により自転し、同期軸３２により側板１８を連動させて百八十度に反転させ、この時側板１８がテーブルの角として地面に置かれ、続けてプッシュブロック４３をプッシュし、カム２１が連動されて続けて百八十度に回転し初期状態に戻り、この時引っ掛かり板２５が広げ引っ掛かり溝２７の中に引っ掛かって入り、この時本装置はテーブルとして使用できる。
【００１８】
本発明の有益効果は：本発明は構造が簡単で、操作が便利であり、本装置が変形できることにより、折り畳まれた時にバックパックとしてキャンプに必要の物を収納でき、またキャンプをする時に広げられてテーブルとして使用でき、地面が平坦でないから物を置くことができないことを避ける。 
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【手続補正書】
【提出日】令和2年3月3日(2020.3.3)
【手続補正１】
【補正対象書類名】特許請求の範囲
【補正対象項目名】全文
【補正方法】変更
【補正の内容】
【特許請求の範囲】
【請求項１】
正面視で、左右に対称したメイン板を含み、右側の前記メイン板の右壁には弾性クッションが固定的に設けられ、前記メイン板の右端面の前後端には背ベルトが固定的に設けられ、前記背ベルトを使って本装置を背に負うことができ、前記弾性クッションは背部の背負い心地を向上させることができ、右側の前記メイン板の上端にはカバー布が反転できるように設けられ、前記カバー布の左端にはボタンが固定的に設けられ、左側の前記メイン板の左端面には前記ボタンと協働して使用するバックルが固定的に設けられ、前記メイン板の下側には一つの底板が設けられ、前記メイン板が前記底板の左右両端にそれぞれ回転できるように連結され、前記メイン板の前後側には側板が対称的に、且つ反転できるように設けられ、前記メイン板と前記底板との間には固定装置が設けられ、前記メイン板と、前記底板と、前記側板との三者の間には伝動装置が設けられ、共に前側にあるいは後側に位置している左右二つの前記側板の間には引っ掛かりロッド装置が設けられ、初期状態に本装置はバックパックの形であり、前記引っ掛かりロッド装置により前記側板の位置固定を解除でき、同時に前記固定装置を連動させることができ、前記メイン板と前記底板との固定を解除し、そして本装置をテーブルに広げて平にし、前記固定装置により固定することを特徴とするキャンプ用バックパック。
【請求項２】
前記固定装置は前記メイン板の中に設けられた伝動チャンバを含み、前記伝動チャンバのうち中心から離れている側の内壁には回転軸が回転できるように設けられ、前記回転軸のうち中心に近接する一端にはカムが固定的に設けられ、前記カムの上側には前記伝動チャンバの内壁にスライドできるように連結された押板が当接するように設けられ、前記押板の上端と前記伝動チャンバの上壁との間には圧縮バネが固定的に連結され、前記伝動チャンバの下壁には下方に開口した引っ掛かり板チャンバが連通するように設けられ、前記引っ掛かり板チャンバの中には前記押板の下端に固定的に連結された引っ掛かり板がスライドできるように設けられ、前記底板の上端面の左右両端の位置が前記引っ掛かり板チャンバの位置に対応し、且つ前記底板の上端面の左右両端には折り畳み引っ掛かり溝が設けられ、前記底板の左右両端には後合わせに開口した広げ引っ掛かり溝が対称的に設けられ、前記引っ掛かり板が前記折り畳み引っ掛かり溝の中に引っ掛かった時に装置は折り畳まれた状態にあり、前記引っ掛かり板が前記広げ引っ掛かり溝の中に引っ掛かった時に装置は広げられた状態にあることを特徴とする請求項１に記載のキャンプ用バックパック。
【請求項３】
前記伝動装置は前記メイン板の中の下側の左右両端に前後に対称的に設けられた傘歯車チャンバを含み、前記傘歯車チャンバの中には固定傘歯車が回転できるように設けられ、前記固定傘歯車の一端には前記底板に固定的に連結された固定軸が固定的に設けられ、前記固定傘歯車の上端には前記固定傘歯車と噛合した従動傘歯車が設けられ、前記従動傘歯車の上端には同期軸が固定的に連結され、前記同期軸の上端が前記側板に固定的に連結され、前記メイン板を反転させる時に前記従動傘歯車が前記固定傘歯車を中心に回転し、歯車噛合により前記従動傘歯車が回転し前記側板を反転連動させることを特徴とする請求項１に記載のキャンプ用バックパック。
【請求項４】
前記引っ掛かりロッド装置は前記側板の中に設けられた伸縮チャンバと引っ掛かりロッドチャンバとを含み、前記伸縮チャンバと前記引っ掛かりロッドチャンバとが向かい合って開口しており、前側の前記伸縮チャンバが右側の前記側板の中に設けられ、前側の前記引っ掛かりロッドチャンバが左側の前記側板の中に設けられ、後側の前記伸縮チャンバと前記引っ掛かりロッドチャンバとの位置が反対であり、前記伸縮チャンバの中には前記引っ掛かりロッドチャンバの中まで伸びている引っ掛かりロッドがスライドできるように設けられ、前記引っ掛かりロッドの下端面にはラックが固定的に設けられ、前記伸縮チャンバの下壁にはリールチャンバが連通するように設けられ、前記リールチャンバの中には前記ラックの下端に噛合した平歯車が回転できるように設けられ、前記平歯車のうち中心に近接する一端にはリールが固定的に設けられ、前記リールには引き糸が周設され、前記引き糸の一端が前記回転軸に周設され、後側の前記引き糸が右側の前記回転軸に周設され、前側の前記引き糸が左側の前記回転軸に周設され、前記伸縮チャンバのうち中心から離れている側には外に開口したガイドスライドチャンバが連通するように設けられ、前記ガイドスライドチャンバの中には前記引っ掛かりロッドに固定的に連結されたガイドスライドロッドがスライドできるように設けられ、前記ガイドスライドロッドが外部に伸びており、且つ前記ガイドスライドロッドにはプッシュブロックが固定的に設けられ、手動で前記プッシュブロックを押して前記引っ掛かりロッドの固定を解除し、前記引き糸により前記固定装置を連動させて固定を解除することを特徴とする請求項２に記載のキャンプ用バックパック。
【手続補正２】
【補正対象書類名】明細書
【補正対象項目名】全文
【補正方法】変更
【補正の内容】
【発明の詳細な説明】
【技術分野】
【０００１】
本発明は生活用品分野を取り上げて、具体的にはキャンプ用バックパックである。
【背景技術】
【０００２】
キャンプをする時、食事もゲームも地面で行われ、しかし時に地面が平坦でない場合には物を置くことができなく、物が傾き倒れやすく、こういう時テーブルが必要とされるが、テーブルを持ち歩くのは非常に不便なことであり、それに対し、バックパックはキャンプをする時に必要となる物であるため、バックパックをデーブルに変形できるように設計することができ、従って、キャンプ用バックパックが必要とされ、本装置はテーブルに良く変形し使用され、安定性が高く、操作が簡単で便利である。
【先行技術文献】
【特許文献】
【０００３】
【特許文献１】中国特許出願公開第１０１１７１９９５号明細書
【発明の概要】
【発明が解決しようとする課題】
【０００４】
本発明の目的はキャンプ用バックパックを提供し、それは上記の現在の技術中の問題を解決できる。
【課題を解決するための手段】
【０００５】
本発明のキャンプ用バックパックは、左右に対称したメイン板を含み、右側の前記メイン板の右壁には弾性クッションが固定的に設けられ、前記メイン板の右端面の前後端には背ベルトが固定的に設けられ、前記背ベルトを使って本装置を背に負うことができ、前記弾性クッションは背部の背負い心地を向上させることができ、右側の前記メイン板の上端にはカバー布が反転できるように設けられ、前記カバー布の左端にはボタンが固定的に設けられ、左側の前記メイン板の左端面には前記ボタンと協働して使用するバックルが固定的に設けられ、前記メイン板の下側には一つの底板が設けられ、前記メイン板が前記底板の左右両端にそれぞれ回転できるように連結され、前記メイン板の前後側には側板が対称的に、且つ反転できるように設けられ、前記メイン板と前記底板との間には固定装置が設けられ、前記メイン板と、前記底板と、前記側板との三者の間には伝動装置が設けられ、共に前側にあるいは後側に位置している左右二つの前記側板の間には引っ掛かりロッド装置が設けられ、
初期状態に本装置はバックパックの形であり、前記引っ掛かりロッド装置により前記側板の位置固定を解除でき、同時に前記固定装置を連動させることができ、前記メイン板と前記底板との固定を解除し、そして本装置をテーブルに広げて平にし、前記固定装置により固定する。
【０００６】
更の技術プラン、前記固定装置は前記メイン板の中に設けられた伝動チャンバを含み、前記伝動チャンバのうち中心から離れている側の内壁には回転軸が回転できるように設けられ、前記回転軸のうち中心に近接する一端にはカムが固定的に設けられ、前記カムの上側には前記伝動チャンバの内壁にスライドできるように連結された押板が当接するように設けられ、前記押板の上端と前記伝動チャンバの上壁との間には圧縮バネが固定的に連結され、前記伝動チャンバの下壁には下方に開口した引っ掛かり板チャンバが連通するように設けられ、前記引っ掛かり板チャンバの中には前記押板の下端に固定的に連結された引っ掛かり板がスライドできるように設けられ、前記底板の上端面の左右両端の位置が前記引っ掛かり板チャンバの位置に対応し、且つ前記底板の上端面の左右両端には折り畳み引っ掛かり溝が設けられ、前記底板の左右両端には後合わせに開口した広げ引っ掛かり溝が対称的に設けられ、
前記引っ掛かり板が前記折り畳み引っ掛かり溝の中に引っ掛かった時に装置は折り畳まれた状態にあり、前記引っ掛かり板が前記広げ引っ掛かり溝の中に引っ掛かった時に装置は広げられた状態にある。
【０００７】
更の技術プラン、前記伝動装置は前記メイン板の中の下側の左右両端に前後に対称的に設けられた傘歯車チャンバを含み、前記傘歯車チャンバの中には固定傘歯車が回転できるように設けられ、前記固定傘歯車の一端には前記底板に固定的に連結された固定軸が固定的に設けられ、前記固定傘歯車の上端には前記固定傘歯車と噛合した従動傘歯車が設けられ、前記従動傘歯車の上端には同期軸が固定的に連結され、前記同期軸の上端が前記側板に固定的に連結され、
前記メイン板を反転させる時に前記従動傘歯車が前記固定傘歯車を中心に回転し、歯車噛合により前記従動傘歯車が回転し前記側板を反転連動させる。
【０００８】
更の技術プラン、前記引っ掛かりロッド装置は前記側板の中に設けられた伸縮チャンバと引っ掛かりロッドチャンバとを含み、前記伸縮チャンバと前記引っ掛かりロッドチャンバとが向かい合って開口しており、前側の前記伸縮チャンバが右側の前記側板の中に設けられ、前側の前記引っ掛かりロッドチャンバが左側の前記側板の中に設けられ、後側の前記伸縮チャンバと前記引っ掛かりロッドチャンバとの位置が反対であり、前記伸縮チャンバの中には前記引っ掛かりロッドチャンバの中まで伸びている引っ掛かりロッドがスライドできるように設けられ、前記引っ掛かりロッドの下端面にはラックが固定的に設けられ、前記伸縮チャンバの下壁にはリールチャンバが連通するように設けられ、前記リールチャンバの中には前記ラックの下端に噛合した平歯車が回転できるように設けられ、前記平歯車のうち中心に近接する一端にはリールが固定的に設けられ、前記リールには引き糸が周設され、前記引き糸の一端が前記回転軸に周設され、後側の前記引き糸が右側の前記回転軸に周設され、前側の前記引き糸が左側の前記回転軸に周設され、前記伸縮チャンバのうち中心から離れている側には外に開口したガイドスライドチャンバが連通するように設けられ、前記ガイドスライドチャンバの中には前記引っ掛かりロッドに固定的に連結されたガイドスライドロッドがスライドできるように設けられ、前記ガイドスライドロッドが外部に伸びており、且つ前記ガイドスライドロッドにはプッシュブロックが固定的に設けられ、
手動で前記プッシュブロックを押して前記引っ掛かりロッドの固定を解除し、前記引き糸により前記固定装置を連動させて固定を解除する。
【発明の効果】
【０００９】
本発明は構造が簡単で、操作が便利であり、本装置が変形できることにより、折り畳まれた時にバックパックとしてキャンプに必要の物を収納でき、またキャンプをする時に広げられてテーブルとして使用でき、地面が平坦でないから物を置くことができないことを避ける。
【図面の簡単な説明】
【００１０】
下記に図１〜７をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明のキャンプ用バックパックの内部全体構成略図
【図２】図２は図１のＡ―Ａの構成略図
【図３】図３は図２のＢ―Ｂの構成略図
【図４】図４は図３のＣ―Ｃの構成略図
【図５】図５は図１のＤの拡大略図
【図６】図６は図１のＥの拡大略図
【図７】図７は図３のＦの拡大略図
【発明を実施するための形態】
【００１２】
図１〜７を参照し、本発明のキャンプ用バックパックは、左右に対称したメイン板１１を含み、右側の前記メイン板１１の右壁には弾性クッション１２が固定的に設けられ、前記メイン板１１の右端面の前後端には背ベルト１３が固定的に設けられ、前記背ベルト１３を使って本装置を背に負うことができ、前記弾性クッション１２は背部の背負い心地を向上させることができ、右側の前記メイン板１１の上端にはカバー布１４が反転できるように設けられ、前記カバー布１４の左端にはボタン１５が固定的に設けられ、左側の前記メイン板１１の左端面には前記ボタン１５と協働して使用するバックル１６が固定的に設けられ、前記メイン板１１の下側には一つの底板１７が設けられ、前記メイン板１１が前記底板１７の左右両端にそれぞれ回転できるように連結され、前記メイン板１１の前後側には側板１８が対称的に、且つ反転できるように設けられ、前記メイン板１１と前記底板１７との間には固定装置１０１が設けられ、前記メイン板１１と、前記底板１７と、前記側板１８との三者の間には伝動装置１０２が設けられ、共に前側にあるいは後側に位置している左右二つの前記側板１８の間には引っ掛かりロッド装置１０３が設けられ、
初期状態に本装置はバックパックの形であり、前記引っ掛かりロッド装置１０３により前記側板１８の位置固定を解除でき、同時に前記固定装置１０１を連動させることができ、前記メイン板１１と前記底板１７との固定を解除し、そして本装置をテーブルに広げて平にし、前記固定装置１０１により固定する。
【００１３】
有益には、前記固定装置１０１は前記メイン板１１の中に設けられた伝動チャンバ１９を含み、前記伝動チャンバ１９のうち中心から離れている側の内壁には回転軸２０が回転できるように設けられ、前記回転軸２０のうち中心に近接する一端にはカム２１が固定的に設けられ、前記カム２１の上側には前記伝動チャンバ１９の内壁にスライドできるように連結された押板２２が当接するように設けられ、前記押板２２の上端と前記伝動チャンバ１９の上壁との間には圧縮バネ２３が固定的に連結され、前記伝動チャンバ１９の下壁には下方に開口した引っ掛かり板チャンバ２４が連通するように設けられ、前記引っ掛かり板チャンバ２４の中には前記押板２２の下端に固定的に連結された引っ掛かり板２５がスライドできるように設けられ、前記底板１７の上端面の左右両端の位置が前記引っ掛かり板チャンバ２４の位置に対応し、且つ前記底板１７の上端面の左右両端には折り畳み引っ掛かり溝２６が設けられ、前記底板１７の左右両端には後合わせに開口した広げ引っ掛かり溝２７が対称的に設けられ、
前記引っ掛かり板２５が前記折り畳み引っ掛かり溝２６の中に引っ掛かった時に装置は折り畳まれた状態にあり、前記引っ掛かり板２５が前記広げ引っ掛かり溝２６の中に引っ掛かった時に装置は広げられた状態にある。
【００１４】
有益には、前記伝動装置１０２は前記メイン板１１の中の下側の左右両端に前後に対称的に設けられた傘歯車チャンバ２８を含み、前記傘歯車チャンバ２８の中には固定傘歯車２９が回転できるように設けられ、前記固定傘歯車２９の一端には前記底板１７に固定的に連結された固定軸３０が固定的に設けられ、前記固定傘歯車２９の上端には前記固定傘歯車２９と噛合した従動傘歯車３１が設けられ、前記従動傘歯車３１の上端には同期軸３２が固定的に連結され、前記同期軸３２の上端が前記側板１８に固定的に連結され、
前記メイン板１１を反転させる時に前記従動傘歯車３１が前記固定傘歯車２９を中心に回転し、歯車噛合により前記従動傘歯車３１が回転し前記側板１８を反転連動させる。
【００１５】
有益には、前記引っ掛かりロッド装置１０３は前記側板１８の中に設けられた伸縮チャンバ３３と引っ掛かりロッドチャンバ３４とを含み、前記伸縮チャンバ３３と前記引っ掛かりロッドチャンバ３４とが向かい合って開口しており、前側の前記伸縮チャンバ３３が右側の前記側板１８の中に設けられ、前側の前記引っ掛かりロッドチャンバ３４が左側の前記側板１８の中に設けられ、後側の前記伸縮チャンバ３３と前記引っ掛かりロッドチャンバ３４との位置が反対であり、前記伸縮チャンバ３３の中には前記引っ掛かりロッドチャンバ３４の中まで伸びている引っ掛かりロッド３５がスライドできるように設けられ、前記引っ掛かりロッド３５の下端面にはラック３６が固定的に設けられ、前記伸縮チャンバ３３の下壁にはリールチャンバ３７が連通するように設けられ、前記リールチャンバ３７の中には前記ラック３６の下端に噛合した平歯車３８が回転できるように設けられ、前記平歯車３８のうち中心に近接する一端にはリール３９が固定的に設けられ、前記リール３９には引き糸４０が周設され、前記引き糸４０の一端が前記回転軸２０に周設され、後側の前記引き糸４０が右側の前記回転軸２０に周設され、前側の前記引き糸４０が左側の前記回転軸２０に周設され、前記伸縮チャンバ３３のうち中心から離れている側には外に開口したガイドスライドチャンバ４１が連通するように設けられ、前記ガイドスライドチャンバ４１の中には前記引っ掛かりロッド３５に固定的に連結されたガイドスライドロッド４２がスライドできるように設けられ、前記ガイドスライドロッド４２が外部に伸びており、且つ前記ガイドスライドロッド４２にはプッシュブロック４３が固定的に設けられ、
手動で前記プッシュブロック４３を押して前記引っ掛かりロッド３５の固定を解除し、前記引き糸４０により前記固定装置１０１を連動させて固定を解除する。
【００１６】
初期状態に、メイン板１１が底板１７に対して垂直であり、側板１８がメイン板１１と底板１７とに対して垂直であり、引っ掛かり板２５が折り畳み引っ掛かり溝２６の中に引っ掛かっており、引っ掛かりロッド３５が引っ掛かりロッドチャンバ３４の中に引っ掛かっている。
【００１７】
テーブルに変形する時、地面に底板１７を平にし、プッシュブロック４３をプッシュし、ガイドスライドロッド４２により引っ掛かりロッド３５を連動させて引っ掛かりロッドチャンバ３４から出し、この時ラック３６が歯車の噛合により平歯車３８を回転連動させ、且つリール３９を回転連動させ、引き糸４０により回転軸２０を回転連動させ、且つカム２１を回転連動させ、この時カム２１の突き出った部分が押板２２を上昇連動させ、且つ引っ掛かり板２５を上昇連動させて折り畳み引っ掛かり溝２６から出し、メイン板１１を両側に反転させて水平状態にし、この時引っ掛かり板チャンバ２４と広げ引っ掛かり溝２７とが向かい合い、この時従動傘歯車３１が固定傘歯車２９を中心に回転し、且つ歯車噛合により自転し、同期軸３２により側板１８を連動させて百八十度に反転させ、この時側板１８がテーブルの角として地面に置かれ、続けてプッシュブロック４３をプッシュし、カム２１が連動されて続けて百八十度に回転し初期状態に戻り、この時引っ掛かり板２５が広げ引っ掛かり溝２７の中に引っ掛かって入り、この時本装置はテーブルとして使用できる。
【００１８】
本発明の有益効果は：本発明は構造が簡単で、操作が便利であり、本装置が変形できることにより、折り畳まれた時にバックパックとしてキャンプに必要の物を収納でき、またキャンプをする時に広げられてテーブルとして使用でき、地面が平坦でないから物を置くことができないことを避ける。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。